(57)【特許請求の範囲】
【請求項１】
LAN（Local  Area  Network：ローカルエリアネットワーク）とxDSL（xDigital  Subscriber  Line：ｘデジタル加入者線）間をルーティングするルータにおいて、
xDSLモデムに加えて、ITU-T（International Telecommunication Union Telecommunication sector：国際電気通信連合電気通信標準化部門）V.90仕様相当の電話回線用モデムをさらに備え、
前記LANからのパケットの宛先が前記xDSLモデム経由であるか前記電話回線用モデム経由であるかを判別して振り分ける手段を備えている、ことを特徴とするルータ。
【請求項２】
前記ITU-T V.90モデムと、前記電話機及び／又はファクシミリ装置のインターフェース手段と接続される回線スイッチ手段を備え、
前記xDSLモデムと、前記電話回線用モデムと、前記電話機及び／又はファクシミリ装置が、一つのアナログ電話回線を共有する構成とされている、ことを特徴とする、請求項１記載のルータ。
【請求項３】
前記回線スイッチ手段は、前記電話回線用モデムと、前記電話機及び／又はファクシミリ装置が同時に前記アナログ電話回線に接続する場合に、先に接続している一方を優先し、他方をアナログ電話回線に接続しないように制御する、ことを特徴とする請求項２記載のルータ。
【請求項４】
LAN（Local  Area  Network：ローカルエリアネットワーク）とxDSL（xDigital  Subscriber  Line：ｘデジタル加入者線）間をルーティングするルータにおいて、
xDSLモデムと、
ITU-T（International Telecommunication Union Telecommunication sector：国際電気通信連合電気通信標準化部門） V.90モデムと、
前記LANに接続された端末からのパケットを受け取り、前記パケットの宛先が前記xDSLモデム経由であるか前記ITU-T V.90モデム経由であるかを判別して振り分けるルーティング手段と、
を備え、ダイヤルアップ認証、コールバック接続が必要な宛先のパケットについては前記ITU-T V.90モデム経由で通信を行う、ことを特徴とするルータ。
【請求項５】
前記ITU-T V.90モデムと、前記電話機及び／又はファクシミリ装置のインターフェース手段と接続される回線スイッチ手段を備え、
前記xDSLモデムと、前記ITU-T V.90モデムと、前記電話機及び／又はファクシミリ装置が、一つのアナログ電話回線を共有する構成とされている、ことを特徴とする、請求項４記載のルータ。
【請求項６】
前記xDSLのトラフィックを監視するトラフィック監視手段を備え、
前記トラフィック監視手段は、前記ルータ内に予め登録されている監視先の宛先に、返答要求を行って接続確認を行い、相手先から応答が無い場合に、前記ITU-T V.90モデムを使って通信を行うように、前記xDSLモデム経由の通信から、前記ITU-T V.90モデム経由への通信に切り替える指示を出し、前記接続確認の応答が復旧した場合、前記ITU-T V.90モデムから、前記xDSLモデム経由の通信に戻すように、切り替える指示を出す、ことを特徴とする、請求項４記載のルータ。
【請求項７】
前記ITU-T V.90モデムと、前記電話機及び／又はファクシミリ装置のインターフェース手段と接続される回線スイッチ手段を備え、
前記ITU-T V.90モデムでデータ通信中に、前記電話機及び／又はファクシミリ装置がハングアップされた場合、前記電話機及び／又はファクシミリ装置を、アナログ電話回線に接続しないように制御する、ことを特徴とする、請求項４に記載のルータ。
【請求項８】
前記回線スイッチ手段は、前記ITU-T V.90モデムと、前記電話機及び／又はファクシミリ装置が同時に前記アナログ電話回線に接続する場合に、先に接続している一方を優先し、他方をアナログ電話回線に接続しないように制御する、ことを特徴とする請求項７記載のルータ。
【請求項９】
前記アナログ電話回線に接続され、前記xDSLモデム経由で通信中に、前記電話機及び／又はファクシミリ装置、あるいは前記ITU-T V.90モデムの一方を通信可能としたフィルタを備えている、ことを特徴とする、請求項４乃至８のいずれか一に記載のルータ。
【請求項１０】
LAN（Local  Area  Network：ローカルエリアネットワーク）とアナログ電話回線に接続されるルータにおいて、
xDSLモデム部と、
ITU-T V.90モデム部と、
IP（Internet  Protocol）パケットの宛先にしたがってxDSL（xDigital  Subscriber  Line；ｘデジタル加入者線）側と、ITU-T（International Telecommunication Union Telecommunication sector：国際電気通信連合電気通信標準化部門） V.90側の通信を振り分けるIPルーティング部を備え、
前記ITU-T V.90モデム側にパケットが振り分けられた場合に、ダイヤルアップ接続されていない場合には、自動でダイヤルアップ接続、認証、コールバック接続を行い、
前記xDSL経由の通信を監視するトラフィック監視部をさらに備え、前記xDSL側の通信に異常がある場合、予め設定されている電話番号に前記ITU-T V.90モデムからダイヤルアップして接続し、さらに、
前記ITU-T V.90モデムと、前記電話機及び／又はファクシミリ装置が同時に前記アナログ電話回線に接続する場合に、先に接続している一方を優先し、他方をアナログ電話回線に接続しないように制御する回線スイッチ部を備え、
前記ITU-T V.90モデムで通信中に、前記電話機及び／又はファクシミリ装置がハングアップされた場合、前記ITU-T V.90モデム経由の通信を中断しないように制御し、
前記xDSLモデム部と前記回線スイッチ部とに接続され、前記xDSLモデム経由で通信中に、前記回線スイッチ部で選択された前記電話機及び／又はファクシミリ装置、あるいは前記ITU-T V.90モデムの一方を通信可能としたフィルタと、
を備えている、ことを特徴とするルータ。
【発明の詳細な説明】
【０００１】
【発明の属する技術分野】
本発明は、ｘＤＳＬ（ｘＤｉｇｉｔａｌ  Ｓｕｂｓｃｒｉｂｅｒ  Ｌｉｎｅ；ｘデジタル加入者線）技術のルータに関し、特に、アナログ電話回線を共有してＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｅｃｔｏｒ：国際電気通信連合電気通信標準化部門）  Ｖ．９０モデムと電話機／ＦＡＸ（ファクシミリ装置）を接続する機能の改良に関する。
【０００２】
【従来の技術】
ＬＡＮ（ローカルエリアネットワーク）・イーサネット（登録商標）とｘＤＳＬ間をルーティングするルータ装置であるｘＤＳＬルータは、一般的に、従来のアナログ電話回線を用いてＩＳＤＮ（Ｉｎｔｅｇｒａｔｅｄ  Ｓｅｒｖｉｃｅ  Ｄｉｇｉｔａｌ  Ｎｅｔｗｏｒｋ）よりも、高速、且つ常時に、インターネットに接続することを目的として利用されている。良く知られているように、電話と同時に利用可能なものとしてＡＤＳＬ、ＶＤＳＬ、ＳＤＳＬ等があり、１対のケーブルで下りで少なくともＭｂｐｓオーダの高速伝送を実現している。
【０００３】
一方、家庭、拠点から、企業内ネットワークへ接続するには、ｘＤＳＬ経由のインターネット接続ではなく、企業内ネットワークへのセキュリティを確保するため、ＩＴＵ−Ｔ  Ｖ．９０（５６ｋモデムのＩＴＵ−Ｔ勧告準拠）モデム等からのダイヤルアップ認証及びコールバック接続が利用されている。
【０００４】
そのため、通常のインターネット通信は、ｘＤＳＬ経由で行い、一方、企業内ネットワークへの接続は、ＩＴＵ−Ｔ  Ｖ．９０モデム等のダイヤルアップ認証及びコールバック接続を自動的に振り分けて接続することが望まれている。
【０００５】
一般に、家庭、小拠点のアナログ電話回線は、経済的理由、建築構造的理由等により、１本のみが設置されている場合が多く、ｘＤＳＬ通信、ＩＴＵ−Ｔ  Ｖ．９０モデム経由の通信、そして電話通話を全て電話回線１本で共有することが要望されている。
【０００６】
さらに、ｘＤＳＬは、従来のアナログ電話回線で高速な変調方式にてデータ通信に利用するため、ノイズに弱く、インターネットに経由するための緊急時のネットワーク接続の確保に不安がある。
【０００７】
このように、従来のｘＤＳＬルータでは、ＬＡＮ・イーサネット（登録商標）とｘＤＳＬを接続するのみで、企業内ネットワークに接続するためのダイヤルアップ機能はない。このため、パソコンをネットワーク接続する場合、インターネットへはＬＡＮ・イーサネット（登録商標）とｘＤＳＬルータを使用して接続し、一方、企業内ネットワークに接続する場合はパソコンの設定をモデム接続に変更し、モデム経由で接続する必要があった。
【０００８】
また、ＬＡＮ・イーサネット（登録商標）とモデムの両方用意し、アナログ回線にｘＤＳＬルータとモデム機器の両方を別々に接続する必要がある。
【０００９】
さらに、ｘＤＳＬ経由によるインターネットの通信が不安定である場合には、人手でネットワークの状態を確認し、上記同様、パソコンの設定変更を行い、モデムによる接続を行う必要があった。
【００１０】
また、モデムによるデータ通信中に、電話機／ＦＡＸの受話器がハングアップされた場合に、通信が中断し、長時間かかってサイズの大きなデータを送受信していた場合には、データの送受信の全てが無駄になる可能性もある。
【００１１】
【発明が解決しようとする課題】
したがって、本発明が解決しようとする課題は、イーサネット（登録商標）（Ｅｔｈｅｒｎｅｔ（登録商標））等のＬＡＮとｘＤＳＬ間をルーティングするルータにおいて、アナログ回線１本で、ｘＤＳＬの通信とＩＴＵ−Ｔ  Ｖ．９０の通信をパケットの宛先に応じて振り分けて使うことを可能とするルータを提供することにある。
【００１２】
また本発明が解決しようとする他の課題は、ＩＴＵ−Ｔ  Ｖ．９０モデム経由の通信時に電話機／ＦＡＸの受話器のハングアップを行われても通信を中断しないルータを提供することにある。
【００１３】
【課題を解決するための手段】
上記課題を解決するための手段を提供する本発明に係るルータは、ＩＴＵ−Ｔ  Ｖ．９０モデム等の電話回線用のモデムを備え、パケットの宛先に応じて自動でｘＤＳＬ経由及び、電話回線用のモデム経由でダイヤルアップ接続し通信を行うようにしたものである。
【００１４】
より詳細には、本発明は、ローカルエリアネットワークとｘＤＳＬ間をルーティングするルータにおいて、ｘＤＳＬモデムと、ＩＴＵ−Ｔ  Ｖ．９０モデムと、受け取ったパケットの宛先が前記ｘＤＳＬモデム経由か前記ＩＴＵ−Ｔ  Ｖ．９０モデム経由を判別して振り分ける手段と、を備え、ダイヤルアップ認証、コールバック接続が必要な宛先のパケットは、前記ＩＴＵ−Ｔ  Ｖ．９０モデム部経由で通信を行う。
【００１５】
本発明においては、電話機及び／又はファクシミリ装置と接続するインターフェース手段をさらに備え、前記ｘＤＳＬモデムと、前記ＩＴＵ−Ｔ  Ｖ．９０モデムと、前記電話機及び／又はファクシミリ装置が、一つのアナログ電話回線を共有する構成とされている。
【００１６】
本発明においては、ｘＤＳＬのトラフィックを監視するトラフィック監視手段を備え、ｘＤＳＬ経由のネットワーク接続が不安定であるときに、ＩＴＵ−Ｔ  Ｖ．９０モデム部経由で通信を行うように切り替え制御するように構成してもよい。
【００１７】
本発明においては、前記ＩＴＵ−Ｔ  Ｖ．９０モデム部と、電話機及びファクシミリ装置のインターフェース手段と接続される回線スイッチ手段を備え、前記ＩＴＵ−Ｔ  Ｖ．９０モデム部でデータ通信中に、前記電話機及び／又はファクシミリ装置がハングアップされても、前記電話機及び／又はファクシミリ装置をアナログ電話回線に接続しないように制御する。本発明の上記課題およびそれ以外の、特徴および利点は、下記の実施の形態の記載からも、当業者には明らかとされるであろう。
【００１８】
【発明の実施の形態】
本発明の好ましい実施の形態について説明する。本発明に係るルータは、その好ましい一実施の形態において、図２を参照すると、ＬＡＮ・イーサネット（登録商標）とｘＤＳＬ間をルーティングする機能に加えて、電話回線用モデムとしてＩＴＵ−Ｔ  Ｖ．９０モデム部１７を備え、ダイヤルアップ認証、コールバック接続が必要な宛先のパケットは、ＩＴＵ−Ｔ  Ｖ．９０モデム部１７経由で通信を行うようにしたものである。
【００１９】
また本発明に係るルータは、その好ましい一実施の形態において、トラフィック監視部１６を備え、ｘＤＳＬのトラフィック監視により、ｘＤＳＬ経由のインターネット接続が不安定であるときに、ＩＴＵ−Ｔ  Ｖ．９０モデム部１７経由で通信を行う。
【００２０】
本発明に係るルータは、その好ましい一実施の形態において、回線スイッチ部１８を備え、ＩＴＵ−Ｔ  Ｖ．９０モデム部１７経由での通信中に、電話機／ＦＡＸ２がハングアップされた場合に、先に接続しているＩＴＵ−Ｔ  Ｖ．９０モデム部１７を優先し、電話機／ＦＡＸ２は、アナログ電話回線側に接続しないように制御する。
【００２１】
ＬＡＮ・イーサネット（登録商標）に接続された端末１１は、本発明に係るルータ経由で、ｘＤＳＬ経由のインターネット接続と、特定の宛先に応じて、ダイヤルアップ認証・コールバック接続の両方の接続が可能となる。
【００２２】
そして本発明に係るルータに接続された電話機／ＦＡＸ２を、ＩＴＵ−Ｔ  Ｖ．９０モデム通信中にハングアップしても、データ通信は中断されない。
【００２３】
【実施例】
上記した実施の形態について更に詳細に説明すべく、添付した図面を参照しながら、本発明の実施例について説明する。図１は、本発明の一実施例の構成を示す図であり、本発明に係るｘＤＳＬルータを含むネットワーク・システムのシステム構成の一例が示されている。図１を参照すると、このシステムにおいて、本発明に係るｘＤＳＬルータ１は、アナログ電話回線４と、例えば１０ＢＡＳＥ−Ｔ等のＬＡＮ・イーサネット（登録商標）３とに接続されている。またＬＡＮ・イーサネット（登録商標）３に接続された端末１１は、ＴＣＰ／ＩＰ（Ｔｒａｎｓｐｏｒｔ  Ｃｏｎｔｒｏｌ  Ｐｒｏｔｏｃｏｌ／Ｉｎｔｅｒｎｅｔ  Ｐｒｏｔｏｃｏｌ）通信を行い、インターネット接続が可能な端末である。
【００２４】
端末１１は、ｘＤＳＬルータ１、アナログ電話回線４と、ｘＤＳＬブロードバンドアクセスサーバ（ＢＡＳ）５を経由して、インターネット８に、ｘＤＳＬを利用した高速アクセスが可能である。端末１１が、企業内ＬＡＮ１０に接続する場合には、ｘＤＳＬルータ１でアナログ回線４、局用アナログ交換機６経由でダイヤルアップして、ダイヤルアップアクセスサーバ７に接続し、ダイヤルアップアクセスサーバ７で認証・コールバックを行い、その結果、問題が無ければ、企業内ＬＡＮ１０に接続する。
【００２５】
さらに、ｘＤＳＬルータ１は、電話機／ＦＡＸ２を接続することが可能とされており、端末１１がｘＤＳＬルータ１のＩＴＵ−Ｔ  Ｖ．９０モデム部で企業内ＬＡＮ１０に接続中の場合は、ｘＤＳＬルータ１の回線スイッチ部（不図示）により、企業内ＬＡＮ１０への接続を優先し、データ通信中は、電話機／ＦＡＸ２がアナログ電話回線４に接続できないように制御する。
【００２６】
図２は、図１のｘＤＳＬルータ１の構成を機能ブロックにて示した図である。図２を参照すると、ｘＤＳＬルータ１は、ＩＰルーティング部１３と、ｘＤＳＬモデム部１５と、ＩＴＵ−Ｔ  Ｖ．９０モデム部１７とを備え、これらは、それぞれ通信線で接続され、さらに、ＬＡＮインターフェース部１２と、回線スイッチ部１８と、ＰＯＴＳフィルタ部１９と、電話モジュラジャック１４と、を備えている。
【００２７】
ＩＰルーティング部１３は、ＬＡＮインターフェース部１２からＩＰパケットを受け取り、当該パケットの宛先に応じて、ｘＤＳＬモデム部１５、ＩＴＵ−Ｔ  Ｖ．９０モデム部１７に振り分ける。
【００２８】
ＩＴＵ−Ｔ  Ｖ．９０モデム部１７がアナログ回線にダイヤルアップしていない場合に、ＩＰルーティング部１３からパケット送信指示が入来した場合、ｘＤＳＬルータ１に事前に設定されている電話番号に、ＩＴＵ−Ｔ  Ｖ．９０モデム部１７から、ダイヤルアップを行う。
【００２９】
トラフィック監視部１６は、ｘＤＳＬルータ１内に事前に登録されている監視先宛先に、ｐｉｎｇで監視を行い、相手先からｐｉｎｇ（ＩＰの上位プロトコルＩＣＭＰ（Ｉｎｔｅｒｎｅｔ  Ｃｏｎｔｒｏｌ  Ｍｅｓｓａｇｅ  Ｐｒｏｔｏｃｏｌ）を用いて相手先に返答要求を送出する）の応答が無い場合に、ＩＴＵ−Ｔ  Ｖ．９０モデム部１７を使って通信を行うように、ｘＤＳＬモデム部１５経由の通信から、ＩＴＵ−Ｔ  Ｖ．９０モデム部１７経由への通信に切り替える指示を出す。ｐｉｎｇの応答が復旧した場合、ＩＴＵ−Ｔ  Ｖ．９０モデム部１７から、ｘＤＳＬモデム部１５経由の通信に戻すように、切り替える指示を出す。
【００３０】
回線スイッチ部１８は、ＩＴＵ−Ｔ  Ｖ．９０モデム部１７と、電話モジュラジャック１４とに接続され、その一方をＰＯＴＳフィルタ部１９に接続するスイッチであり、ＩＴＵ−Ｔ  Ｖ．９０モデム部１７でデータ通信中に、電話機／ＦＡＸ２がハングアップされても、電話機／ＦＡＸ２をアナログ電話回線４に接続しないように制御する。
【００３１】
ＰＯＴＳフィルタ１９は、ｘＤＳＬモデム部１５経由で通信中に、電話機／ＦＡＸ２、ＩＴＵ−Ｔ  Ｖ．９０モデム部１７の通信ができるようにするアナログフィルタである。
【００３２】
次に、ｘＤＳＬルータ１の動作について、図２を参照して説明する。端末１１からＩＰパケットが送信されると、ｘＤＳＬルータ１のＩＰルーティング部１３は、ＩＰパケットの宛先を参照して、事前に設定されている接続先である、ｘＤＳＬモデム部１５、ＩＴＵ−Ｔ  Ｖ．９０モデム部１７のいずれかに、パケットを振り分ける。
【００３３】
ｘＤＳＬモデム１５側にパケットが出力された場合には、ｘＤＳＬモデム部１５経由でアナログ電話回線４にパケットを出力する。
【００３４】
一方、ＩＴＵ−Ｔ  Ｖ．９０モデム部１７側にパケットが出力された場合、もし、ＩＴＵ−Ｔ  Ｖ．９０モデム部１７がアナログ回線４にダイヤルアップしていない場合には、ｘＤＳＬルータ１内に、事前に設定されている電話番号に、ＩＴＵ−Ｔ  Ｖ．９０モデム部１７からダイヤルアップ動作を行い、接続後に、パケットを、ＩＴＵ−Ｔ  Ｖ．９０モデム部１７経由でアナログ回線４に出力する。
【００３５】
トラフィック監視部１６では、ｘＤＳＬルータ１に事前に登録されている監視宛先に、ｐｉｎｇで監視を行い、相手先からｐｉｎｇの応答が無い場合に、ＩＴＵ−Ｔ  Ｖ．９０モデム部１７を使って通信を行なうように、ｘＤＳＬモデム部１５経由の通信から、ＩＴＵ−Ｔ  Ｖ．９０モデム部１７経由への通信に切り替える指示を出す。また、ｐｉｎｇの応答が復旧すればＩＴＵ−Ｔ  Ｖ．９０モデム部１７からｘＤＳＬモデム部１５経由の通信に切り替える指示を出す。
【００３６】
回線スイッチ部１８は、ＩＴＵ−Ｔ  Ｖ．９０モデム部１７でデータ通信中に、電話機／ＦＡＸ２がハングアップされても、電話機／ＦＡＸ２をアナログ電話回線４に接続しないようにする。
【００３７】
図３は、本発明の一実施例のｘＤＳＬルータ１におけるＩＰルーティング部１３の制御動作について説明するためのフローチャートである。端末１１から出力されたパケットがＬＡＮインターフェース部１２で受信された場合、ＩＰルーティング部１３はＤＮＳ（Ｄｏｍａｉｎ  Ｎａｍｉｎｇ  Ｓｅｒｖｉｃｅ）処理（ホスト名とＩＰアドレスの対応）を行い、ｘＤＳＬルータ１のルーティングテーブル（不図示）を参照して（ステップ２１）、出力インターフェースを検索し、出力インターフェースがｘＤＳＬモデム部１５経由かＩＴＵ−Ｔ  Ｖ．９０モデム部１７経由か判断し（ステップ２２）、ｘＤＳＬモデム部１５経由の場合、ＮＡＴ（Ｎｅｔｗｏｒｋ  Ａｄｄｒｅｓｓ  Ｔｒａｎｓｌａｔｉｏｎ：ＩＰアドレスでプライベートアドレスをグローバルアドレスに変換）、フィルタ処理後、ｘＤＳＬモデム部１５経由でパケットを送信し（ステップ２３）、ＩＴＵ−Ｔ  Ｖ．９０モデム部１７経由の場合、ＩＴＵ−Ｔ  Ｖ．９０モデム部１７向けにダイヤルアップ起動要求を行い、ダイヤルアップ接続完了後、ＮＡＴ、フィルタ処理を行い、ＩＴＵ−Ｔ  Ｖ．９０モデム部１７向けにパケットを送信する。
【００３８】
図４は、本発明の一実施例のｘＤＳＬルータ１における回線スイッチ部１８の動作について説明するフローチャートである。ＩＰルーティング部１３よりＩＴＵ−Ｔ  Ｖ．９０モデム部１７にダイアルアップ起動要求、電話機の受話器ハングアップを受けて、回線スイッチ部１８にてＩＴＵ−Ｔ  Ｖ．９０モデム１７、電話機側のいずれかが、まだアナログ電話回線４側に接続されていなければ、いずれか早い方の回路を接続し、既に回路が接続されていれば、接続中の回路の接続を維持する（ステップ２７）。
【００３９】
このように、ＩＴＵ−Ｔ  Ｖ．９０モデム部１７で通信中に、電話機／ＦＡＸ２がハングアップされても、アナログ回線４を電話機／ＦＡＸ２に接続しない。
【００４０】
図５は、本発明の一実施例のｘＤＳＬルータ１におけるＩＰルーティング部１３のＤＮＳ、ＮＡＴ処理の内容について示している。
【００４１】
端末１１からパケットを受信した場合（ステップ２８）、端末１１からのＩＰアドレスの問い合わせ（ＤＮＳ）の場合、問い合わせのドメインをチェックし（ステップ２９）、ドメイン毎にｘＤＳＬ向け、ＩＴＵ−Ｔ  Ｖ．９０向けに設定したＤＮＳサーバにＩＰアドレス問い合わせを発行し（ステップ３０）、ＤＮＳサーバから応答があり、端末１１のＤＮＳ問い合わせの解決がついた場合、端末１１にＤＮＳ応答を返し、解決されたＩＰアドレスを解決された側のインターフェースと組み合わせて、ルータ内のルーティングテーブル（不図示）に配置する（ステップ３１）。
【００４２】
端末１１からのパケットが通常のパケットの場合、ルーティングテーブル（不図示）を参照し（ステップ３２）、該ルーティングテーブルから出力インターフェース（ｘＤＳＬ、ＩＴＵ−Ｔ  Ｖ．９０モデム部経由）が決まったら、受信パケットのソースＩＰアドレス、ソースＵＤＰ（Ｕｓｅｒ  Ｄａｔａｇｒａｍ  Ｐｒｏｔｏｃｏｌ）／ＴＣＰポート番号、宛先ＩＰアドレス、宛先ＵＤＰ／ＴＣＰポート番号を組にしたＮＡＴテーブル（不図示）を作成する。ｘＤＳＬ、ＩＴＵ−Ｔ  Ｖ．９０から受信時、このＮＡＴテーブルにしたがって逆変換して端末１１に出力する（ステップ３３）。事前に設定されている出力インターフェース（ｘＤＳＬ、ＩＴＵ−Ｔ  Ｖ．９０）のＩＰアドレスに受信パケットのソースＩＰアドレスとソースＵＤＰ／ＴＣＰポート番号（一部のパケットの中身）も変換し、それぞれの出力インターフェースに送信する（ステップ３４）。
【００４３】
上記処理により、端末１１が送信したい宛先のＤＮＳドメイン名を見て、送りたい出力インターフェース（ｘＤＳＬ向け、ＩＴＵ−Ｔ  Ｖ．９０向け）を決めることができるとともに、ＮＡＴ機能により端末１１からｘＤＳＬ、ＩＴＵ−Ｔ  Ｖ．９０どちらの通信も同時に行うことが可能になる。なお、ＩＴＵ−Ｔ  Ｖ．９０モデムを、ダイヤルアップ接続時間を短縮し、上りを４８ｋｂｐｓとしたＩＴＵ−Ｔ  Ｖ．９２（電話回線用モデムの高速伝送規格）等で置き換えてもよいことは勿論である。
【００４４】
以上本発明を上記各実施例に即して説明したが、本発明は、上記実施例の構成に限定されるものでなく、特許請求の範囲の各請求項の発明の範囲内で、当業者であれば、なし得るであろう、各種変形、修正を含むことは勿論である。
【００４５】
【発明の効果】
以上説明したように、本発明によれば下記記載の効果を奏する。
【００４６】
本発明の第一の効果は、アナログ回線１本で、ｘＤＳＬの通信とＩＴＵ−Ｔ  Ｖ．９０の通信をＩＰパケットの宛先に応じて振り分けて使うことが可能である、ということである。
【００４７】
その理由は、本発明においては、ｘＤＳＬルータのＩＰルーティング部でｘＤＳＬ経由の通信とＩＴＵ−Ｔ  Ｖ．９０経由の通信を振り分けているからである。
【００４８】
本発明の第二の効果は、ｘＤＳＬ経由の通信が不安定であるときにＩＴＵ−Ｔ  Ｖ．９０経由の通信に切り替え、通信の安定を図ることができる、ということである。
【００４９】
その理由は、本発明においては、トラフィック監視部でｐｉｎｇによるｘＤＳＬ経由の通信状態監視を行い、ｐｉｎｇの応答が無いときにＩＴＵ−Ｔ  Ｖ．９０経由の通信に切り替える構成としている、ためである。
【００５０】
本発明の第三の効果は、ＩＴＵ−Ｔ  Ｖ．９０経由の通信中に、電話機／ＦＡＸを使ってもＩＴＵ−Ｔ  Ｖ．９０の通信は中断されない、ということである。
【００５１】
その理由は、本発明においては、回線スイッチ手段にて、先にアナログ回線が接続されているＩＴＵ−Ｔ  Ｖ．９０経由の通信を優先している、ためである。
【図面の簡単な説明】
【図１】本発明の一実施例のネットワークシステムの構成の一例を示す図である。
【図２】本発明の一実施例のｘＤＳＬルータの構成を示す図である。
【図３】本発明の一実施例のｘＤＳＬルータにおけるＩＰルーティング部の処理を説明するための流れ図である。
【図４】本発明の一実施例のｘＤＳＬルータにおける回線スイッチ部の処理を説明するための流れ図である。
【図５】本発明の一実施例のｘＤＳＬルータにおけるＩＰルーティング部のＤＮＳ、ＮＡＴ処理の処理を説明するための流れ図である。
【符号の説明】
１  ｘＤＳＬルータ
２  電話機／ＦＡＸ
３  ＬＡＮ／イーサネット（登録商標）
４  アナログ電話回線
５  ｘＤＳＬブロードバンドアクセスサーバ
６  局用アナログ電話交換機
７  ダイヤルアップアクセスサーバ
８  インターネット
９  アナログ電話網
１０  企業内ＬＡＮ
１１  端末
１２  ＬＡＮインターフェース部
１３  ＩＰルーティング部
１４  電話モジュラジャック
１５  ｘＤＳＬモデム部
１６  トラフィック監視部
１７  ＩＴＵ−Ｔ  Ｖ．９０モデム部
１８  回線スイッチ部
１９  ＰＯＴＳフィルタ部
【図１】
0003627690.tif 000002
【図２】
0003627690.tif 000003
【図３】
0003627690.tif 000004
【図４】
0003627690.tif 000005
【図５】
0003627690.tif 000006